(57)【特許請求の範囲】
【請求項１】
ルアー本体の前面に所定の深さの凹部を有し、この凹部内には水の抵抗を受ける一対の抵抗面が形成され、これらの抵抗面は、ルアー本体の前面の略中央に設けられた仕切り壁で左右に仕切られ、この仕切り壁から周辺に向かって凹部を深くするように後側に延びていることを特徴とする魚釣用ルアー。
【請求項２】
前記仕切り壁は、前記凹部の外側に突出するように延びていることを特徴とする請求項１に記載の魚釣用ルアー。
【請求項３】
前記凹部内には、ルアー本体の側方に向けて貫通する孔が設けられていることを特徴とする請求項１または請求項２に記載の魚釣用ルアー。
【発明の詳細な説明】
【０００１】
【発明の属する技術分野】
本発明は魚釣用ルアーに関する。
【０００２】
【従来の技術】
魚釣用ルアーの中には、ルアー本体の前面に凹部を設け、ルアーを動かした時にこの凹部で水を受けて、水を掻き回すような音を出したり、水飛沫を前方に飛ばしたりして集魚効果を高めるようにしたものがある（特開平９−２０５９３８号公報等参照）。
【０００３】
【発明が解決しようとする課題】
ところで、ルアー本体の前面に設けられた前記凹部は、従来から、ルアー本体の中心に向かって深くなる単純なカップ状を成しているものが一般的である。したがって、凹部に集めた水をルアーの進行方向前方に水飛沫として容易に飛ばすことができる。
【０００４】
しかしながら、このように、凹部がルアー本体の中心に向かって単に深くなっているだけであると、水飛沫は、凹部の中心側に集められるように前方へ飛ばされるだけで、左右に広がらない。そのため、今一つ集魚効果に欠けていた。
【０００５】
本発明は前記事情に着目してなされたものであり、その目的とするところは、ルアー本体の前面の凹部で受けた水を左右方向へ広げて飛ばすことができる集魚効果が高い魚釣用ルアーを提供することにある。
【０００６】
【課題を解決するための手段】
前記課題を解決するために、本発明の魚釣用ルアーは、ルアー本体の前面に所定の深さの凹部を有し、この凹部内には水の抵抗を受ける一対の抵抗面が形成され、これらの抵抗面は、ルアー本体の前面の略中央に設けられた仕切り壁で左右に仕切られ、この仕切り壁から周辺に向かって凹部を深くするように後側に延びていることを特徴とする。
【０００７】
このような構成においては、前記仕切り壁は、前記凹部の外側に突出するように延びていることが望ましい。また、前記凹部内には、ルアー本体の側方に向けて貫通する孔が設けられていることが望ましい。
【０００８】
【発明の実施の形態】
以下、図面を参照しつつ本発明の一実施形態について説明する。
【０００９】
図１〜図３は本発明の第１の実施形態を示している。これらの図に示されるように、本実施形態の魚釣用ルアー１は、合成樹脂によって形成される中空のルアー本体１ａから成り、ルアー本体１ａは小魚の形状を模して成形されている。ルアー本体１ａの腹部と尾部とにはそれぞれ、接続リング１１を介して釣針７が係脱自在に取り付けられるリング状の釣針係止部３が固定的に設けられている。なお、ルアー本体１ａの中空部内にはバランス錘が設けられていても良く、また、ルアー本体１ａは合成樹脂の発泡材やバルサの木材等の他の材料によって形成されていても良い。
【００１０】
ルアー本体１ａの前面には、所定の深さの凹部８とともに、所定の厚さの周縁部１３が形成されている。凹部８内には、水の抵抗を受ける一対の抵抗面８ａ，８ｂが形成されている。これらの抵抗面８ａ，８ｂは、ルアー本体１ａの前面の略中央から周辺に向かって凹部８を深くするように左右に延びている。すなわち、一対の抵抗面８ａ，８ｂは、ルアー本体１ａの前面の略中央から周辺に向かって反対方向に延びるとともに、周辺に向かって凹部８を深くするように後側に延びて、左右斜め前方に方向付けられている。
【００１１】
また、凹部８内には、ルアー本体１ａの側壁を貫通する排水孔１０が、一対の抵抗面８ａ，８ｂにそれぞれ対応して設けられている。本実施形態では、各抵抗面８ａ，８ｂの一部が凹部８側からリール本体１ａの側壁を貫くように延びることによって、その内周面の一部が抵抗面８ａ，８ｂと面一になる所定内径の排水孔１０が形成されている。
【００１２】
また、一対の抵抗面８ａ，８ｂ同士が交わるルアー本体１ａの前面の略中央には（抵抗面８ａ，８ｂ間には）、抵抗面８ａ，８ｂ同士を仕切る仕切り壁（仕切り部）が設けられている。仕切り壁１２は、凹部８内を左右２つの領域に区画して凹部８の外側に突出するように延びており、釣糸が係止されるリング状の釣糸係止部４を支持している。
【００１３】
以上のように構成された本実施形態の魚釣用ルアー１を水中で泳動させると、凹部８で受けられた水は、図２に矢印で示されるように、各抵抗面８ａ，８ｂで跳ね返され、ルアー１の左右前方に広がるように飛ばされる。したがって、ルアー１の前方のみに水飛沫を飛ばす場合に比べて、集魚効果が大きくなる。
【００１４】
また、本実施形態の魚釣用ルアー１は、左右一対の抵抗面８ａ，８ｂの間に仕切り壁１２が設けられているため、左右に首を振るようにルアー１を泳動させることが容易となり、水飛沫の左右への前記拡散との相乗効果によって、集魚効果を更に高めることができる。
【００１５】
また、本実施形態の魚釣用ルアー１は、ルアー１の外側に通じる孔１０が凹部８内に設けられているため、凹部８で受けた水の一部を孔１０を通じて側方に逃がしてルアー１の外側に水流（水飛沫を含む）を発生させることができ、水飛沫の左右への前記拡散と左右への前記首振りとの組み合わせによって、集魚効果を飛躍的に高めることができる。
【００１６】
図４〜図６は本発明の第２の実施形態を示している。なお、本実施形態において、第１の実施形態と共通する構成部分については、以下、同一符号を付してその説明を省略する。
【００１７】
図４〜図６に示されるように、本実施形態の魚釣用ルアー１Ａにおいて、仕切り壁１２は、抵抗面８ａ，８ｂ同士を仕切っているだけであり、凹部８内を左右２つの領域に完全に区画してはいない。また、仕切り壁１２は、凹部８内に収まっており、抵抗面８ａ，８ｂの一部を形成している。
【００１８】
また、各抵抗面８ａ，８ｂは、凹部８の最深部Ｐまで湾曲状に延びて終端している。また、凹部８は、各抵抗面８ａ，８ｂの終端の最深部Ｐから周方向に向かって浅くなるように形成されている。すなわち、本実施形態では、ルアー本体１ａの前面の略中央部つまり仕切り壁１２を境にして、カップ状の凹部８Ａ，８Ｂが左右に形成された形態となっている。
【００１９】
なお、本実施形態において、各抵抗面８ａ，８ｂに対応して凹部８内に設けられた孔１０は、凹部８の左右両側の下縁部に設けられており、ルアー１の下方に向けて水流を発生させる。
【００２０】
このように、本実施形態のルアー１Ａも、ルアー本体１ａの前面の略中央から周辺に向かって凹部８を深くするように左右に延びる抵抗面８ａ，８ｂを有しているため、第１の実施形態と同様の作用効果を得ることができる。
【００２１】
【発明の効果】
以上説明したように、本発明の魚釣用ルアーは、ルアー本体の前面の凹部で受けた水を左右一対の抵抗面によって左右方向へ広げて飛ばすことができると共に、一対の抵抗面を仕切る仕切り壁により左右に首を振るように泳動させることが容易となるため、集魚効果が非常に高い。
【図面の簡単な説明】
【図１】本発明の第１の実施形態に係る魚釣用ルアーの側面図である。
【図２】図１のＡ−Ａ線に沿う断面図である。
【図３】図１のＢ方向矢視図である。
【図４】本発明の第２の実施形態に係る魚釣用ルアーの側面図である。
【図５】図４のＣ−Ｃ線に沿う断面図である。
【図６】図４のＤ方向矢視図である。
【符号の説明】
１…魚釣用ルアー
１ａ…ルアーボディ
８…凹部
８ａ，８ｂ…抵抗面
１０…排水孔
１２，２２…仕切り壁（仕切り部）
【図１】
0004516700.tif 000002
【図２】
0004516700.tif 000003
【図３】
0004516700.tif 000004
【図４】
0004516700.tif 000005
【図５】
0004516700.tif 000006
【図６】
0004516700.tif 000007